(57)【要約】      （修正有）【課題】合成する画像を機種毎に用意しなくても、一定の品質の合成結果を得ることができるシステム、装置、方法およびプログラムを提供する。【解決手段】所定の情報を含む第１の画像と、第１の画像とともに用いられ、所定の情報を隠すための第２の画像と、第１の画像および第２の画像を構成する第１の最小領域の情報とを記憶し、記憶された最小領域の情報とに基づき、第１の画像と第２の画像の各々につき、第１の画像と第２の画像の各々の画像領域の面積に対する画像が形成される領域の面積の割合を表す面積率を計算し、画像形成装置が形成する画像を構成する第２の最小領域の情報を取得し、記憶された第１の画像および第２の画像と、計算された面積率と、取得された第２の最小領域の情報とを用いて、出力対象の画像と合成する画像として、所定の情報を含む第３の画像および第３の画像とともに用いられ、所定の情報を隠すための第４の画像を生成する。【選択図】なし【特許請求の範囲】
【請求項１】
出力対象の画像と合成する画像を生成する画像処理システムであって、
所定の情報を含む第１の画像と、前記第１の画像とともに用いられ、前記所定の情報を隠すための第２の画像と、前記第１の画像および前記第２の画像を構成する第１の最小領域の情報とを記憶する記憶手段と、
前記記憶手段に記憶された前記第１の画像と前記第２の画像と前記第１の最小領域の情報とに基づき、前記第１の画像と前記第２の画像の各々につき、前記第１の画像と前記第２の画像の各々の画像領域の面積に対する画像が形成される領域の面積の割合を表す面積率を計算する計算手段と、
画像形成装置が形成する画像を構成する第２の最小領域の情報を取得する取得手段と、
前記記憶手段に記憶された前記第１の画像および前記第２の画像と、前記計算手段により計算された面積率と、前記第２の取得手段により取得された第２の最小領域の情報とを用いて、前記出力対象の画像と合成する画像として、前記所定の情報を含む第３の画像および該第３の画像とともに用いられ、前記所定の情報を隠すための第４の画像を生成する生成手段とを含む、画像処理システム。
【請求項２】
前記記憶手段は、前記第１の最小領域の情報として、画像形成を行う最小単位である正方形の領域の一辺の長さの情報、または該正方形の領域の一辺の長さおよび該正方形の領域内の画像形成される画像形成領域の面積の情報を記憶し、
前記取得手段は、前記第２の最小領域の情報として、前記正方形の領域の一辺の長さの情報、または該正方形の領域の一辺の長さおよび前記画像形成領域の面積の情報を取得する、請求項１に記載の画像処理システム。
【請求項３】
前記生成手段は、前記第１の画像および前記第２の画像を構成し、複数の行および列に並ぶ前記第１の最小領域に対し、１以上の行および列の該第１の最小領域を削除または追加して、前記第３の画像および前記第４の画像を生成する、請求項１または２に記載の画像処理システム。
【請求項４】
前記生成手段は、前記第１の画像および前記第２の画像を構成し、複数の行および列に並ぶ前記第１の最小領域に対し、１以上の行および列の該第１の最小領域を削除して前記第３の画像を生成する場合、削除する前記１以上の行および列の第１の最小領域に含まれ、画像形成される画像形成領域を、前記第３の画像内の同一の行または列の端部に設けて該第３の画像を生成する、請求項１または２に記載の画像処理システム。
【請求項５】
前記記憶手段は、濃度または色ごとに、前記第１の画像と前記第２の画像と前記第１の最小領域の情報とを記憶し、前記取得手段は、設定された濃度または色の前記第２の最小領域の情報を取得し、前記生成手段は、前記設定された濃度または色の前記第３の画像および前記第４の画像を生成する、請求項１〜４のいずれか１項に記載の画像処理システム。
【請求項６】
前記出力対象の画像と前記生成手段により生成された前記第３の画像および前記第４の画像とを合成する合成手段を含む、請求項１〜５のいずれか１項に記載の画像処理システム。
【請求項７】
前記記憶手段は、前記生成手段により生成された前記第３の画像および前記第４の画像を記憶し、
前記合成手段は、前記画像形成装置の機種が変更されるまで、前記記憶手段に記憶された前記第３の画像および前記第４の画像を、前記出力対象の画像と合成する、請求項６に記載の画像処理システム。  
【請求項８】
出力対象の画像と合成する画像を生成する情報処理装置であって、
所定の情報を含む第１の画像と、前記第１の画像とともに用いられ、前記所定の情報を隠すための第２の画像と、前記第１の画像および前記第２の画像を構成する第１の最小領域の情報とを記憶する記憶手段と、
前記記憶手段に記憶された前記第１の画像と前記第２の画像と前記第１の最小領域の情報とに基づき、前記第１の画像と前記第２の画像の各々につき、前記第１の画像と前記第２の画像の各々の画像領域の面積に対する画像が形成される領域の面積の割合を表す面積率を計算する計算手段と、
画像形成装置が形成する画像を構成する第２の最小領域の情報を取得する取得手段と、
前記記憶手段に記憶された前記第１の画像および前記第２の画像と、前記計算手段により計算された面積率と、前記第２の取得手段により取得された第２の最小領域の情報とを用いて、前記出力対象の画像と合成する画像として、前記所定の情報を含む第３の画像および該第３の画像とともに用いられ、前記所定の情報を隠すための第４の画像を生成する生成手段とを含む、情報処理装置。
【請求項９】
出力対象の画像と合成する画像を生成する方法であって、
所定の情報を含む第１の画像と、前記第１の画像とともに用いられ、前記所定の情報を隠すための第２の画像と、前記第１の画像および前記第２の画像を構成する第１の最小領域の情報とを記憶する記憶手段に記憶された該第１の画像と該第２の画像と該第１の最小領域の情報とに基づき、前記第１の画像と前記第２の画像の各々につき、前記第１の画像と前記第２の画像の各々の画像領域の面積に対する画像が形成される領域の面積の割合を表す面積率を計算するステップと、
画像形成装置が形成する画像を構成する第２の最小領域の情報を取得するステップと、
前記記憶手段に記憶された前記第１の画像および前記第２の画像と、前記計算するステップで計算された面積率と、前記取得するステップで取得された第２の最小領域の情報とを用いて、前記出力対象の画像と合成する画像として、前記所定の情報を含む第３の画像および該第３の画像とともに用いられ、前記所定の情報を隠すための第４の画像を生成するステップとを含む、画像処理方法。
【請求項１０】
請求項９に記載の画像処理方法に含まれる各ステップをコンピュータに実行させるためのプログラム。
【発明の詳細な説明】
【技術分野】
【０００１】
本発明は、出力対象の画像と合成する画像を生成する画像処理システム、情報処理装置、画像処理方法およびその処理をコンピュータに実行させるためのプログラムに関する。
【背景技術】
【０００２】
出力対象の画像と合成する画像の１つとして、不正コピーを抑止するための地紋がある。地紋は、印刷対象の画像と合成され、網点等の模様と文字列等として埋め込まれる。印刷された印刷物は、それを見ても、模様により文字列が隠れているため、どのような文字列かを検知することはできない。しかしながら、その印刷物をコピーすると、隠れた文字列等が浮き上がるため、コピーされたものであることが分かる。
【０００３】
この地紋印刷の技術として、１ドット毎離れて印字される第１のパターンと、２ドット以上が集まって印字される第２のパターンとを組み合わせて印刷する技術が知られている（例えば、特許文献１参照）。
【発明の概要】
【発明が解決しようとする課題】
【０００４】
地紋印刷が可能な画像形成装置は、装置の種類（機種）によって、画像形成を行う最小の画像形成領域（印字ドット）の面積あるいは幅(a,b)は、搭載するプリンタエンジンの特性に依存し、異なっている。図１では、４つの印字ドットを示しているが、印字ドットの幅（印字幅）の大きい機種Aの方が濃く見え、小さい機種Bは薄く見える。
【０００５】
このことから、上記従来の技術において、第２のパターンを構成する文字列等を適切に第１のパターンにより隠し、一定の品質の合成結果を得るためには、これら２つのパターンを機種毎に用意しなければならないという問題があった。
【０００６】
本発明は、上記に鑑みてなされたものであって、合成する画像を機種毎に用意しなくても、一定の品質の合成結果を得ることができる画像処理システム、情報処理装置、画像処理方法およびプログラムを提供することを目的とする。
【課題を解決するための手段】
【０００７】
上述した課題を解決するために、発明の一実施形態では、出力対象の画像と合成する画像を生成する画像処理システムであって、所定の情報を含む第１の画像と該第１の画像とともに用いられ該所定の情報を隠すための第２の画像と第１の画像および第２の画像を構成する第１の最小領域の情報とを記憶する記憶手段と、記憶手段に記憶された第１の画像と第２の画像と第１の最小領域の情報とに基づき、第１の画像と第２の画像の各々につき、第１の画像と第２の画像の各々の画像領域の面積に対する画像が形成される領域の面積の割合を表す面積率を計算する計算手段と、画像形成装置が形成する画像を構成する第２の最小領域の情報を取得する取得手段と、記憶手段に記憶された第１の画像および第２の画像と計算手段により計算された面積率と第２の取得手段により取得された第２の最小領域の情報とを用いて、出力対象の画像と合成する画像として、所定の情報を含む第３の画像および該第３の画像とともに用いられ該所定の情報を隠すための第４の画像を生成する生成手段とを含む、画像処理システムを提供する。
【発明の効果】
【０００８】
本発明によれば、合成する画像を機種毎に用意しなくても、一定の品質の合成結果を得ることができる。
【図面の簡単な説明】
【０００９】
【図１】機種毎に印字幅が異なることを説明する図。
【図２】地紋印刷について説明する図。
【図３】画像処理システムの第１の構成例を示した図。
【図４】画像処理システムの第２の構成例を示した図。
【図５】画像処理システムに用いられる情報処理装置のハードウェア構成を例示した図。
【図６】画像処理システムに用いられる画像形成装置のハードウェア構成を例示した図。
【図７】情報処理装置の機能構成を例示した図。
【図８】画像形成装置の機能構成を例示した図。
【図９】面積率の計算方法を説明する図。
【図１０】機種Aが用いる２つのパターンの第１の例を示した図。
【図１１】機種Bについて生成される２つのパターンを例示した図。
【図１２】情報処理装置により実行されるパターンを生成する処理を例示したフローチャート。
【図１３】画像処理システムにより実行される処理を例示したフローチャート。
【図１４】削除される行および列に含まれる印字ドットを配置する処理を例示したフローチャート。
【図１５】機種Aが用いる２つのパターンの第２の例を示した図。
【図１６】機種Aが用いる２つのパターンの情報を例示した図。
【図１７】機種Cについて生成される背景パターンを例示した図。
【図１８】機種Cについて生成される背景パターンの情報を例示した図。
【図１９】機種Cについて生成される２つのパターンの情報を例示した図。
【図２０】機種Cについて生成される前景パターンを例示した図。
【図２１】機種Dについて生成される背景パターンを例示した図。
【図２２】機種Dについて生成される背景パターンの情報を例示した図。
【図２３】機種Dについて生成される２つのパターンの情報を例示した図。
【図２４】機種Dについて生成される前景パターンを例示した図。
【発明を実施するための形態】
【００１０】
画像処理システムは、出力対象の画像と合成する画像（合成用画像）を生成するシステムである。以下、合成用画像を、地紋印刷で使用される地紋として説明する。まず、地紋印刷について、図２を参照して説明する。地紋印刷は、出力対象の画像に地紋を埋め込んで印刷する機能であり、地紋は、背景に埋め込まれる網点等の模様や文字列等である。地紋印刷では、印刷すると、文字列が模様に隠れ、その印刷物をコピーすると、文字列が浮き上がるように、２つの画像（パターン）を背景に埋め込み、原稿等の出力対象の画像と合成して印刷出力する。
【００１１】
地紋印刷で背景に埋め込む２つのパターンは、出力対象の画像の背景ではあるが、前景側のパターンの「隠れた文字列」のパターンと、背景側のパターンの「隠れた文字列以外」のパターンである。「隠れた文字列」のパターンは、２ドット以上が集まって印字されるパターンで、図２では、４ドット毎の大ドットとして印字されるパターンとされている。「隠れた文字列以外」のパターンは、１ドット毎離れて印字されるパターンで、図２では、１ドット毎の小ドットとして印字されるパターンとされている。なお、ドットは、画像形成の最小単位で、正方形の領域として表すことができる。
【００１２】
これらの大ドットのパターンと小ドットのパターンとを組み合わせ、印字濃度を同じにして印刷することで、隠れた文字列が目立たなくなり、出力された印刷物を見ても、文字列を識別することができなくなる。地紋の印字濃度は、同じ濃度であればいかなる濃度であってもよい。また、濃度はある特定の１つの濃度に限られるものではなく、複数の濃度として設定することも可能である。以下、濃度について説明する際、説明を簡単にするために、単に「濃い」、「薄い」の２つの濃度として説明する。
【００１３】
画像形成装置は、印刷機能のほか、コピー機能も備える。地紋印刷された印刷物は、コピー機能によりコピーすると、印刷物では隠れていた文字列が浮き上がる。これは、コピー機能が、印刷物をスキャンする際、細かい小ドットのパターンを取り除く機能を備えるためで、スキャン後は、大ドットのみが残り、それが印刷されると、その大ドットのみが印刷されるからである。
【００１４】
図２に示す例では、印刷物がコピーされると、「隠れた文字列以外」の背景の網点は除去され、「隠れた文字列」である「コピー禁止」の文字列のみが残り、その文字列が浮き上がることになる。印刷物が原本で、この原本がコピー禁止とされている場合、このように文字列が浮き上がった出力物は、コピー禁止に違反して出力されたものであることが一目で分かる。
【００１５】
地紋印刷が可能な画像形成装置には、複数の機種が存在し、印刷のために搭載されるプリンタエンジンの特性が異なる。画像形成装置は、ドットの幅は、機種共通であるが、そのドットに対する印字部分の面積（印字面積）または印字幅は、機種によって異なる。
【００１６】
印字幅が異なると、図１に示したように同じドット数でも、１印字幅が大きい機種の方が濃く見え、小さい機種は薄く見える。１印字幅が大きい機種は、大ドットのパターンも濃いが、その周りの小ドットのパターンも濃いので、大ドットのパターンが目立ちにくく、小ドットのパターンに隠れる。これに対し、１印字幅が小さい機種は、小ドットのパターンが薄くなる結果、大ドットのパターンが目立ちやすくなる。これは、印字幅（または印刷面積）に起因するものである。このため、パターンの画像領域（パターンを構成する全ドット）の面積に対する全印字面積の割合（面積率）を同一または近似した値にすることで、どの機種であっても、地紋印刷において文字列を隠し、コピー時に浮き上がらせることができる。
【００１７】
このような処理を実現するためのシステムの構成や具体的な処理内容等について、以下に詳細に説明する。
【００１８】
図３は、それを実現するための画像処理システムの構成例を示した図である。図３は、システム構成の一例であり、図４に示すような他の構成を採用することも可能である。まず、図３に示すシステム構成について説明する。図３に示すシステムは、２つの情報処理装置としてのPC(Personal Computer)１０、１１と、３つの画像形成装置としてのMFP(Multi Function Peripheral)１２〜１４とを含み、それぞれがネットワーク１５に接続されている。
【００１９】
PC１０、１１は、ユーザにより使用され、印刷する原稿等の画像を生成し、その画像のデータを印刷データとしてネットワークを介してMFP１２〜１４の１つに送信する。ここでは、PC１０、１１を使用しているが、タブレット端末やスマートフォン等であってもよい。また、PC１０、１１は、２台に限定されるものではなく、１台であってもよいし、３台以上であってもよい。
【００２０】
PC１０、１１は、MFP１２〜１４の１つに印刷データを送信するために、MFP１２〜１４が解釈可能なデータに変換し、印刷データを生成するためのプリンタドライバを実装する。プリンタドライバは、MFP１２〜１４の機種に共通に使用可能な機種共通プリンタドライバで、上記のデータ変換の機能のほか、地紋印刷の指示を受けて、出力対象の画像に地紋を埋め込む機能も有している。
【００２１】
MFP１２〜１４は、印刷機能、コピー機能、スキャナ機能、ファックス機能等の複数の機能を有し、PC１０、１１から受信した印刷データに基づき、印刷を実行し、紙等の記録媒体に画像を形成して出力する。そのデータが地紋印刷の実行を指示するものであれば、出力対象の画像に地紋を埋め込んで印刷を実行する。画像形成装置は、印刷する機能を有し、地紋印刷が可能であれば、MFP１２〜１４に限られるものではなく、プリンタ等のいかなる機器であってもよい。MFP１２〜１４の印刷方式は、インクジェット方式であってもよいし、電子写真方式であってもよい。
【００２２】
ネットワーク１５は、LAN(Local Area Network)であってもよいし、WAN(Wide Area Network)であってもよいし、インターネットであってもよい。また、ネットワーク１５は、有線ネットワークであってもよいし、無線LAN等の無線ネットワークであってもよい。さらに、ネットワーク１５は、１つのネットワークに限られるものではなく、ルータやプロキシサーバ等の中継装置により接続された２以上のネットワークから構成されるものであってもよい。
【００２３】
図３では、ネットワーク１５を介してPC１０、１１やMFP１２〜１４が接続された構成を例示したが、図４に示すように、PC１０とMFP１２とがケーブル１６により一対一で直接接続された構成であってもよい。ケーブル１６は、例えばUSB(Universal Serial Bus)等のパラレルI/Fケーブルとすることができる。
【００２４】
図５を参照して、PC１０のハードウェア構成について説明する。PC１１については、PC１０と同様であるため、ここではその説明を省略する。PC１０は、汎用的なPCと同様、CPU(Central Processing Unit)２０、ROM(Read Only Memory)２１、RAM(Random Access Memory)２２、HDD(Hard Disk Drive)２３、通信I/F２４、入出力I/F２５、表示装置２６、入力装置２７、バス２８を含む。
【００２５】
CPU２０は、ROM２１やHDD２３に格納されたプログラムを実行し、PC１０全体の動作を制御する。ROM２１は、PC１０の起動時に実行されるBIOS(Basic Input Output System)や各種の設定値等を格納する不揮発性メモリである。RAM２２は、CPU２０が実行するために読み出したプログラムを保持する等の作業領域を提供する揮発性メモリである。HDD２３は、OS、アプリケーションプログラム、プリンタドライバ、各種のデータを格納する不揮発性の記憶装置である。ここでは、HDD２３を用いているが、これに限られるものではなく、SSD(Solid State Drive)等を用いてもよい。
【００２６】
プリンタドライバは、MFP１２〜１４の動作を制御するためのプログラムで、機種に固有のプリンタドライバではなく、機種共通プリンタドライバが使用される。機種固有のプリンタドライバである場合、地紋印刷する際の上記の２つのパターンは適切なパターンとして既に保持しているので、後述する機種に応じてパターンを補正する処理は必要ないからである。
【００２７】
通信I/F２４は、PC１０をネットワーク１５に接続し、ネットワーク１５に接続されたPC１１やプリンタ１２〜１４と通信するためのネットワークインタフェースである。入出力I/F２５は、表示装置２６への情報の出力と、入力装置２７からの情報の入力とを制御するためのインタフェースである。表示装置２６は、液晶ディスプレイや有機ELディスプレイ等とされ、プリンタ１２〜１４から送信された印刷ジョブの状況やエラー等を表示する。入力装置２７は、マウスやキーボードとされ、ユーザが入力した情報を受け付ける。バス２８は、CPU２０やROM２１等と接続され、アドレス信号、データ信号、各種の制御信号を伝送する。
【００２８】
PC１０は、そのほか、外部記憶I/F、SDカードスロットやCD-ROMやDVD等の記憶媒体ドライブ、マイク等の音声入力装置、スピーカ等の音声出力装置、カメラ等の撮像装置を含んでいてもよい。
【００２９】
図６を参照して、MFP１２のハードウェア構成について説明する。MFP１３、１４については、MFP１２と同様であるため、ここではその説明を省略する。MFP１２は、CPU３０、ROM３１、RAM３２、HDD３３、エンジン３４、通信I/F３５、操作部３６、バス３７を含む。CPU３０は、ROM３１やHDD３３に格納されたプログラムを実行して、MFP１２の動作を制御する。ROM３１は、プログラムとして、プリンタ１２の起動時に実行されるBIOSや各種の設定値等を格納する不揮発性メモリである。RAM３２は、CPU３０が実行するために読み出したプログラムを保持する等の作業領域を提供する揮発性メモリである。HDD３３は、各種の機能を実現するためのアプリケーションプログラムやOS(Operating System)、各種のデータを格納する不揮発性の記憶装置である。
【００３０】
エンジン３４は、印刷機能やスキャナ機能を実現するための処理を実行するハードウェアで、紙等の記録媒体に印刷するプロッタおよび原稿等を光学的に読み取るスキャナエンジンを含んで構成される。エンジン３４は、これ以外に、印刷された紙を仕分けするフィニッシャや原稿等を自動搬送するADF(Auto Document Feeder)等を含むことができる。通信I/F３５は、MFP１２をネットワーク１５に接続し、ネットワーク１５に接続されたPC１０、１１やMFP１３、１４と通信するためのネットワークインタフェースである。
【００３１】
操作部３６は、例えばタッチパネルを搭載し、ユーザの操作を受け付け、ユーザに対して処理の状況等を表示する。バス３７は、CPU３０やROM３１等と接続され、アドレス信号、データ信号、各種の制御信号を伝送する。
【００３２】
図７を参照して、PC１０の機能構成について説明する。PC１０は、CPU２０がHDD２３に格納されたプログラムを読み出し実行することにより各機能部を生成し、各機能部により各種の機能を実現する。このため、PC１０は、各種の機能を実現するための機能部を備えているということができる。PC１０は、その機能部として、印刷要求部４０、印刷データ生成部４１、記憶部４２、取得部４３、計算部４４、画像生成部４５、合成部４６を含む。
【００３３】
印刷要求部４０は、アプリケーションプログラムにより実現され、原稿等の画像の印刷実行を要求する。印刷データ生成部４１は、プリンタドライバにより実現され、印刷要求部４０からの印刷実行の要求を受け付ける。この要求には、印刷の実行に必要なデータが含まれる。印刷データ生成部４１は、印刷要求部４０から受け付けた要求に含まれるデータを使用し、MFP１２が解釈可能なデータに変換して印刷データを生成する。
【００３４】
記憶部４２は、例えば前回の接続先のMFP１３が、印刷データの画像と合成するために用いた２つのパターン（前景パターンと背景パターン）と、それら２つのパターンの１ドット幅および画像を構成する最小領域としての１ドットに対する画像形成領域（印字領域）の面積（印字面積）の情報を記憶する。ここでは、記憶部４２は、２つのパターンの組のほか、前回の接続先の１ドット幅および印字面積の情報を記憶し、保持するが、印字面積に代えて印字幅の情報であってもよいし、２つのパターンの組と印字幅の情報のみであってもよい。
【００３５】
取得部４３は、今回接続し、印刷の実行を要求する接続先の、例えばMFP１２の１ドット幅と印字面積の情報を、ネットワーク１５を介してMFP１２と通信し、MFP１２からネットワーク１５を介して取得する。
【００３６】
計算部４４は、記憶部４２に記憶された前景パターンと背景パターンと１ドット幅および印字面積の情報とに基づき、前景パターンと背景パターンの各々につき、面積率を計算する。この面積率の計算方法については後述する。
【００３７】
画像生成部４５は、記憶部４２に記憶された前景パターンおよび背景パターンと、計算部４４により計算された面積率と、取得部４３により取得された１ドット幅および印字面積の情報とを用いて、印刷を要求された画像と合成させる地紋画像に用いる２つのパターンを生成する。具体的には、今回の接続先が使用する２つのパターンの面積率が、計算部４４により計算された面積率に一致するように、前景パターンおよび背景パターンのドットを削除または追加する等して生成する。
【００３８】
画像生成部４５は、生成された前景パターンと背景パターンを組み合わせて合成用画像を生成する。合成部４６は、生成された合成用画像と、印刷データの画像とを合成し、合成した画像の合成データを印刷データとしてMFP１２に出力する。
【００３９】
図８を参照して、MFP１２の機能構成について説明する。MFP１２は、CPU３０がROM３１やHDD３３等に格納されたプログラムを実行することにより各機能部を生成し、各機能部により各種の機能を実現する。このため、MFP１２も、PC１０と同様、各種の機能を実現するための機能部を備えているということができる。MFP１２は、その機能部として、受信部５０、制御部５１、記憶部５２、送信部５３、印刷実行部５４を含む。
【００４０】
受信部５０は、PC１０からMFP１２の１ドット幅と印字面積の情報の取得要求を受信する。制御部５１は、その取得要求を受けて、記憶部５２に記憶されている１ドット幅および印字面積の情報を読み出し、送信部５３に対して送信を指示する。送信部５３は、その指示を受けて、１ドット幅および印字面積の情報をPC１０に送信する。
【００４１】
受信部５０は、PC１０から印刷データも受信する。制御部５１は、受信部５０が受信した印刷データを印刷実行部５４に渡す。印刷実行部５４は、印刷データに基づき、印刷を実行する。
【００４２】
図９を参照して、計算部４４における面積率の計算方法について説明する。記憶部４２は、実績のあるいくつかの機種の地紋パターンの組み合わせ（前景パターンと背景パターン）と、１ドット幅と、印字面積とを記憶し、保持する。地紋パターンの組み合わせは、濃度毎の組み合わせとされ、地紋パターンが上記の前景パターンと背景パターンの２種類で、濃度が濃い、薄いという２種類であれば、記憶部４２は、計４種類の地紋パターンを記憶する。
【００４３】
以下、機種Aの地紋パターンを基にして機種Bに合った地紋パターンを生成する処理について説明する。ベースとなる機種Aの情報は、例えば１ドット幅：０．０３インチ、印字面積：０．０００５２９平方インチである。
【００４４】
取得部４３は、機種Bと通信し、機種Bの情報を取得する。機種Bの情報は、例えば１ドット幅：０．０２５インチ、印字面積：０．０００４平方インチといった情報である。
【００４５】
ベースとなる機種Aの前景の１パターンと背景の１パターンは、図９に示すようなものである。前景または背景は、濃度が薄い、濃いという２パターンあるので、ここでの１パターンは、いずれか一方のパターンであることを示す。図９（ａ）は、背景の１パターンを示し、図９（ｂ）は、前景の１パターンを示す。
【００４６】
背景の１パターンは、縦９ドット×横９ドットで構成され、印字されたドット（印字ドット）の位置が縦２ドット目で横２ドット目の位置とされ、印字ドット数の１ドットとなっている。前景の１パターンは、縦２８ドット×横２８ドットで構成され、印字ドットの位置が縦２ドット目から４ドット目、横２ドット目から４ドット目の範囲とされている。前景の１パターンは、全ドット数が７８４、印字ドット数が９となっている。
【００４７】
面積率Ar(%)は、上記の１ドット幅をW、全ドット数をDtotal、印字面積をSp、印字ドット数をDpとして、次の式１を用いて計算することができる。
【００４８】
【数１】
2018064138.tif 000002
【００４９】
上記式１に各値を代入して面積率を計算すると、前景の１パターンについては０．６７４７４４８９８、背景の１パターンについては０．７２５６５１５７８と計算される。
【００５０】
画像生成部４５は、ベースとなる機種Aの前景の１パターンおよび背景の１パターンと、このようにして計算された面積率と、取得部４３により取得された１ドット幅および印字面積の情報とを用いて、機種Bのための前景の１パターンおよび背景の１パターンを生成する。その生成方法について、図１０を参照して説明する。取得部４３により取得された１ドット幅は、上記の０．０２５インチで、印字面積は、０．０００４平方インチである。
【００５１】
画像生成部４５は、上記式１を用い、機種B用の前景および背景の１パターンの縦横一辺のドット数を計算する。上記式１には、機種Bの印字面積をSpとし、印字ドット数をDpとし、機種Aの１ドット幅をWとし、機種Aの面積率をArとして、全ドット数Dtotalを計算する。そして、Dtotalの平方根をとることにより、縦横一辺のドット数を計算する。
【００５２】
上記の１ドット幅０．０２５インチ、印字面積０．０００４平方インチ、面積率０．６７４７４４８９８を用いて計算すると、機種Bの前景の１パターンの全ドット数Dtotalは、５９２．８１６６３５２となり、一辺のドット数は、２４．３４７８２６０９となる。
【００５３】
なお、一辺のドット数は、整数でなければならない。整数にするには、小数点以下を切り捨て、切り上げ、四捨五入という方法があるが、上述したように、面積率が大きくなる方が適切に文字列等を隠すことができるため、切り捨てする方法が望ましい。したがって、一辺のドット数は、小数点以下を切り捨て２４と求めることができる。
【００５４】
同様に、１ドット幅０．０２５インチ、印字面積０．０００４平方インチ、面積率０．７２５６５１５７８を用いて計算すると、機種Bの背景の１パターンの全ドット数Dtotalは、６１．２４７６３７０５となる。そして、一辺のドット数は、７．８２６０８６９５７となる。一辺のドット数は、小数点以下は切り捨て７と算出される。なお、切り捨てることで、完全に一致した面積率にはならないが、近似した面積率になるので、一定の品質の地紋印刷の結果を得ることができる。
【００５５】
画像生成部４５は、ベースとなる前景の１パターンおよび背景の１パターンと、計算した一辺のドット数を用い、図１０に示すように、ドットを追加または削除し、機種B用の前景の１パターンと背景の１パターンとを生成する。そして、画像生成部４５は、ベースとなる機種Aの印字ドット位置と同じ位置に印字ドットを配置する。
【００５６】
具体的には、図１０（ａ）に示すように、機種Bの背景の１パターンは、ベースとなるパターンが縦横一辺のドット数が９であるため、右側２列を削除し、下側２行を削除して、縦横一辺のドット数を７とする。そして、機種Aと同様に印字ドットを、縦２ドット目で横２ドット目の１ドットに配置する。
【００５７】
また、図１０（ｂ）に示すように、機種Bの前景の１パターンは、ベースのパターンが縦横一辺のドット数が２８であるため、右側４列を削除し、下側４行を削除して、縦横一辺のドット数を２４とする。そして、機種Aと同様に印字ドットを、縦２ドット目から４ドット目、横２ドット目から４ドット目の範囲に配置する。
【００５８】
ベースとなるパターンの削除対象のドット、例えば上記の前景の１パターンの右側４列、下側４行内に印字ドットが配置されている場合、これらの行および列が削除されると、前景と背景との間で濃度に差が生じ、隠された情報が見えてしまう場合がある。そこで、濃度差を小さくするべく、最も近似した位置に印字ドットを配置する。この場合も、機種Aと機種Bとで完全に同じ濃度の地紋にはならないが、近似した濃度の地紋にすることができる。
【００５９】
例えば、図１１（ａ）に示すベースとなる前景の１パターンの縦２６ドット目で横２７ドット目の位置、縦２７ドット目で横２７ドット目に印字ドットがあった場合、図１１（ｂ）に示す機種B用の縦横一辺のドット数が２４のうち、縦２３ドット目で横２４ドット目の位置、縦２４ドット目で横２４ドット目の位置に印字ドットを配置することができる。
【００６０】
ベースとなる機種Aの前景パターンおよび背景パターンは、それぞれ１パターンに限定されるものではなく、濃度に応じて複数設けることができる。また、濃度だけに限定されるものではなく、色に応じて設けることができる。
【００６１】
図１２を参照して、PC１０が実行する合成用のパターンを生成する処理について詳細に説明する。PC１０を使用するユーザは、アプリケーションプログラムを起動し、印刷したい原稿等の画像を表示させ、印刷設定情報を入力し、印刷の実行を指示する。印刷設定情報は、印刷を実行するMFPの機種、印刷ページ、印刷枚数、地紋印刷の有無、地紋の濃度やパターン等の情報である。
【００６２】
ユーザから印刷実行の指示を受けて、ステップ１２００からこの処理を開始する。ステップ１２０５では、印刷設定情報に含まれる地紋印刷の有無を示す情報を参照し、地紋印刷するか否かを判断する。なお、これらの設定は、UI(User Interface)上で行うことができ、例えば地紋印刷の有無は、ユーザが設定した地紋利用オンまたはオフの情報から判断することができる。地紋印刷する場合は、ステップ１２１０へ進み、地紋印刷しない場合は、ステップ１２６５へ進み、この処理を終了する。
【００６３】
ステップ１２１０では、接続先の情報を取得する。接続先の情報は、接続先の機器の情報で、機器名、IP(Internet Protocol)アドレス、MAC(Media Access Control)アドレス等の機器を一意に識別することができる情報とすることができる。ステップ１２１５では、前回の接続で記憶部４２に記憶した接続先の情報を、該記憶部４２から取得する。なお、記憶部４２に接続先の情報が記憶されていない場合、空白の情報（ブランク）として取得する。
【００６４】
ステップ１２２０では、前回の接続先と今回の接続先とが同じであるかを判断する。同じである場合、前回利用した、または前回作成した前景パターンと背景パターンが記憶部４２に記憶されており、それらを利用することができるため、ステップ１２６５へ進み、この処理を終了する。同じでない場合、ステップ１２２５へ進む。
【００６５】
ステップ１２２５では、接続先の情報を記憶する。ステップ１２３０では、接続先の各濃度の地紋パターンが作成済みかどうかを判断する。前回接続した接続先ではないが、それ以前に接続し、地紋パターンが作成済みの場合もあるからである。したがって、作成済みである場合は、新たに作成する必要はないので、ステップ１２６５へ進み、この処理を終了する。作成済みでない場合は、作成する必要があるので、ステップ１２３５へ進む。
【００６６】
ステップ１２３５では、ベースとなる既に作成され、記憶されている例えば機種Aの地紋パターン、すなわち濃度毎の前景パターンおよび背景パターンと、１ドット幅および印字面積の情報とを取得する。ステップ１２４０では、接続先である、例えば機種Bと通信し、機種Bの１ドット幅および印字面積の情報を取得する。
【００６７】
ステップ１２４５では、機種Aの各濃度の前景パターンおよび背景パターンにつき、面積率を計算する。ステップ１２５０では、計算した面積率を用い、機種B用の各濃度の前景パターンおよび背景パターンを生成する。これらのパターンは、まだ印字ドットが配置されていないパターンである。ステップ１２５５では、機種Aの各濃度の前景パターンおよび背景パターンの印字ドットの位置に基づき、生成した各パターンに印字ドットを配置する。そして、ステップ１２６０で、印字ドットを配置することで作成された各濃度の各パターンを記憶部４２に記憶し、ステップ１２３０へ戻る。
【００６８】
この記憶部４２への記憶により、接続先の各濃度の地紋パターンが作成済みとなるため、ステップ１２３０では、作成済みと判断し、ステップ１２６５へ進み、この処理を終了する。このようにして、接続先が機種Bから他の機種へ変わるまでは、ここで作成されたパターンを使い回す。これにより、機種Bを使用している間は、地紋パターンを作成する処理を省略し、地紋印刷の処理を速めることができる。
【００６９】
図１３を参照して、図１２に示す処理後に、画像処理システムが実行する処理について説明する。ステップ１３００から開始し、ステップ１３０５では、地紋印刷するか否かを判断し、地紋印刷しない場合、ステップ１３１０へ進み、地紋印刷する場合、ステップ１３１５へ進む。
【００７０】
ステップ１３１０では、地紋パターンを合成しない印刷データを、接続先である機種Bに送信する。一方、ステップ１３１５では、印刷設定情報に含まれる、UIで設定された地紋の濃度を取得する。ここでは、濃度としているが、色であってもよい。ステップ１３２０では、記憶部４２に記憶された、その濃度に対応した前景パターンおよび背景パターンを取得する。
【００７１】
ステップ１３２５では、印刷データの画像と、前景パターンおよび背景パターンからなる地紋パターンとを合成し、ステップ１３３０で、合成した画像のデータを機種Bに送信する。ステップ１３３５では、機種Bが受信したデータに基づき、印刷を実行し、ステップ１３４０で処理を終了する。
【００７２】
図１４を参照して、図１２のステップ１２５５の処理について詳細に説明する。ステップ１４００から開始し、ステップ１４０５では、削除するドットの列に印字ドットを含むかを判断する。含む場合、ステップ１４１０へ進み、含まない場合、ステップ１４１５へ進む。ステップ１４１０では、削除する列に含む印字ドットを、同じ行の右側から順に空いているドットを探し、配置する。
【００７３】
例えば、ベースとなる前景パターンの一辺のドット数が２４で、右側から２列削除し、一辺のドット数が２２となり、縦２２ドット目で横２３ドット目あるいは横２４ドット目に印字ドットが配置されていた場合を考える。この印字ドットは、上記の２列の削除で配置する場所がなくなる。しかしながら、ステップ１４１０のようにして、同じ縦２２ドット目の端部の、最も右側の横２２ドット目が空いていれば、その横２２ドット目に配置する。空いていない場合は、同じ縦２２ドット目で横２１ドット目が空いていれば、そこに配置する。
【００７４】
ステップ１４１５では、削除する行に印字ドットを含むかを判断する。含む場合、ステップ１４２０へ進み、含まない場合、ステップ１４２５へ進み、この処理を終了する。ステップ１４２０では、列と行が異なるが、上記のステップ１４１０における方法と同様に、削除する行に含む印字ドットを、同じ列の下側から順に空いているドットを探し、配置する。このようにして、印字ドットを配置したところで、ステップ１４２５へ進み、この処理を終了する。この処理により、必要な印字ドットが欠けることを防止することができる。
【００７５】
これまでは、ドットが正方形で、印字部分が円形とされ、その形状が異なり、ドット幅と印字幅で幅が異なることから、ドットと印字ドットとを区別し、１ドット幅と印字面積の情報を取得して面積率を計算する例を説明してきた。しかしながら、これに限られるものではなく、印字部分をドットと同じ正方形とみなし、ドット幅と印字幅がほぼ同じ幅とみなして、両者を区別することなく、印字幅のみを使用して簡易に面積率を計算することができる。この方法を採用することで、簡易に、かつ高速に地紋パターンを生成することができる。また、記憶する情報も、２つのパターン以外に、印字幅のみの情報で良いため、メモリの消費量を低減させることができる。以下に、この印字幅を使用した面積率の計算方法および地紋パターンの生成方法について説明する。
【００７６】
図１５は、２つの濃度（濃い、薄い）の、ベースとなる前景パターンと背景パターンを例示した図である。図１５には、濃度が濃いパターンと濃度が薄いパターンは、縦横の行および列の数が異なるのみで、同様のパターンであるため、以下、パターンについては、濃度が薄いパターンのみを例示する。
【００７７】
前景パターンは、一辺が２８ドットで、縦２ドット目から４ドット目、横２ドット目から４ドット目の範囲が印字ドットとされ、印字ドット数が９とされている。濃度が薄い背景パターンは、一辺が９ドットで、縦２ドット目、横２ドット目が印字ドットとされ、印字ドット数が１とされている。
【００７８】
図示しないが、濃度が濃い前景パターンは、一辺が２２ドットで、縦２ドット目から４ドット目、横２ドット目から４ドット目の範囲が印字ドットとされ、印字ドット数が９とされている。濃度が濃い背景パターンは、一辺が７ドットで、縦２ドット目、横２ドット目が印字ドットとされ、印字ドット数が１とされている。
【００７９】
各パターンについての情報をまとめると、図１６に示すようなものとなる。図１６中、面積率は、印字ドット数をパターンの幅および高さのドット数で除算し、１００を乗算した値で、面積率の差は、背景の面積率から前景の面積率を減算した値である。
【００８０】
図１５に示す前景の１パターンおよび背景の１パターンと、図１６に示す情報とを基に、機種に合った新しい地紋パターンを生成する方法について説明する。ベースとなる機種を機種Aとし、新しい地紋パターンを生成する機種を、ベースの印字幅０．０２５インチより狭い印字幅０．０２インチの機種Cと、ベースの印字幅より広い印字幅０．０３インチの機種Dとして説明する。
【００８１】
機種Cの地紋パターンの生成について説明する。最初に、地紋パターンとして、背景の１パターンを生成する。ベースの機種Aと生成対象の機種Cの１ドットの印字幅を比較し、その印字幅の差を算出する。この差から、ベースの背景の１パターンの右側および下側から削除または追加する行および列のドット数を決定する。
【００８２】
この例では、機種Cの印字幅がベースの機種Aの印字幅より小さいことから、削除と決定する。また、面積率をベースに近似した値にするために、削除を０．００２５インチごと右１列および下１行に対して行うと決定する。
【００８３】
この例では、印字幅の差が０．００５インチであるため、図１７に示すように、右２列および下２行を削除する。これにより、背景の１パターンの大きさが決定される。そして、ベースと同じドットの位置に印字ドットを配置し、機種Cの背景の１パターンを生成する。この場合も、印字ドットが削除する部分に含まれる場合、上記と同様の方法でドットを探し、その位置に配置する。
【００８４】
図１８に、機種Cの背景の１パターンの情報をまとめる。濃度が薄い背景パターンは、パターンの幅および高さが右および下から２列および２行削除され、７行７列のパターンとなり、印字ドット数は１つで、面積率は２．０４％となる。濃度が濃い背景パターンは、パターンの幅および高さが右および下から２列および２行削除され、５行５列のパターンとなり、印字ドット数は１つで、面積率は４％となる。
【００８５】
次に、文字列を構成する前景の１パターンの生成について説明する。背景パターンと前景パターンを組み合わせて地紋パターンとして用いる際、背景の面積率が前景の面積率より大きい方が、文字列等が浮き上がりにくい。ベースとなる機種Aは、背景が前景より大きい面積率となることから、ベースにおける背景と前景の面積率の差を利用して、機種Cの前景の面積率を計算する。ベースの背景の面積率をAr,bb、前景の面積率をAr,bf、機種Cの背景の面積率をAr,cb、機種Cの前景の面積率をAr,cfとすると、Ar,cfは、次の式２により計算することができる。
【００８６】
【数２】
2018064138.tif 000003
【００８７】
前景の１パターンも、背景の１パターンと同様、ベースの前景の１パターンと同じドット位置に印字ドットを配置する。配置した印字ドットの数をDpとすると、前景の１パターンの一辺のドット数Dmは、次の式３により計算することができる。
【００８８】
【数３】
2018064138.tif 000004
【００８９】
なお、ドットは整数であるため、計算されたDmが小数点以下に値をもつ場合、小数点以下を切り捨てる。このようにして、図１９に示すパターンの幅および高さの前景の１パターンの大きさを決定することができる。幅は、横方向の一辺のドット数で、高さは、縦方向の一辺のドット数である。
【００９０】
濃度が薄い前景パターンは、パターンの幅および高さが右および下から６列および６行削除され、２２行２２列のパターンとなり、印字ドット数は９で、面積率は１．８５９５０４％となる。濃度が濃い背景パターンは、パターンの幅および高さが右および下から６列および６行削除され、１６行１６列のパターンとなり、印字ドット数は９で、面積率は３．５１５６２５％となる。図１９には、上記式２により計算された前景の面積率Ar,cfも示している。なお、前景の面積率は、小数点以下を切り捨てているので、式２で計算された面積率Ar,cfとは異なる小さい値となっている。
【００９１】
この例では、前景、背景ともに一辺につき６ドット少なくなっているので、図２０に示すように右６列および下６行を削除する。そして、ベースと同じドットの位置に印字ドットを９つ配置し、機種Cの前景の１パターンを生成する。この場合も、印字ドットが削除する部分に含まれる場合、上記と同様の方法でドットを探し、その位置に配置する。
【００９２】
機種Dの地紋パターンの生成について説明する。最初に、地紋パターンとして、背景の１パターンを生成する。ベースの機種Aと生成対象の機種Dの１ドットの印字幅を比較し、その印字幅の差を算出する。この差から、ベースの背景の１パターンの右側および下側から削除または追加する行および列のドット数を決定する。
【００９３】
この例では、機種Dの印字幅がベースの機種Aの印字幅より大きいことから、追加と決定する。また、面積率をベースに近似した値にするために、追加を０．００２５インチごと右１列および下１行に対して行うと決定する。
【００９４】
この例では、印字幅の差が０．００５インチであるため、図２１に示すように、右２列および下２行を追加する。これにより、背景の１パターンの大きさが決定される。そして、ベースと同じドットの位置に印字ドットを配置し、機種Dの背景の１パターンを生成する。行および列を追加する場合は、削除される印字ドットは存在しないので、上記のようなドットを探し、探したドットに印字ドットを配置するという処理は不要である。
【００９５】
図２２に、機種Dの背景の１パターンの情報をまとめる。濃度が薄い背景パターンは、パターンの幅および高さが右側および下側に２列および２行追加され、１１行１１列のパターンとなり、印字ドット数は１つで、面積率は０．８３％となる。濃度が濃い背景パターンは、パターンの幅および高さが右側および下側に２列および２行追加され、９行９列のパターンとなり、印字ドット数は１つで、面積率は１．２３％となる。
【００９６】
次に、文字列等を構成する前景の１パターンの生成について説明する。背景パターンと前景パターンを組み合わせて地紋パターンとして用いる際、背景の面積率が前景の面積率より大きい方が、文字列等が浮き上がりにくい。ベースとなる機種Aは、背景が前景より大きい面積率となることから、ベースにおける背景と前景の面積率の差を利用して、機種Dの前景の面積率を計算する。機種Dの前景の面積率を上記の式２により計算する。
【００９７】
前景の１パターンも、背景の１パターンと同様、ベースの前景の１パターンと同じドット位置に印字ドットを配置する。前景の１パターンの一辺のドット数は、配置した印字ドットの数を用い、上記の式３により計算する。
【００９８】
なお、ドットは整数であるため、計算された印字ドット数が小数点以下に値をもつ場合、小数点以下を切り捨てる。このようにして、図２３に示すパターンの幅および高さの前景の１パターンの大きさを決定することができる。
【００９９】
濃度が薄い前景パターンは、パターンの幅および高さが右および下に７列および７行追加され、２２行２２列のパターンとなり、印字ドット数は９で、面積率は０．７３４６９４％となる。濃度が濃い背景パターンは、パターンの幅および高さが右側および下側に８列および８行追加され、３０行３０列のパターンとなり、印字ドット数は９で、面積率は１％となる。図２３には、上記式２により計算された前景の面積率Ar,cfも示している。なお、前景の面積率は、小数点以下を切り捨てているので、式２で計算された面積率Ar,cfとは異なる小さい値となっている。
【０１００】
この例では、濃度が薄い前景については、一辺につき７ドット多くなっているので、図２４に示すように右側に７列および下側に７行追加する。そして、ベースと同じドットの位置に印字ドットを９つ配置し、機種Dの前景の１パターンを生成する。濃度が濃い前景については、一辺につき８ドット多くなっているので、図２４に示すように右側に８行および下側に８行追加する。そして、ベースと同じドットの位置に印字ドットを９つ配置し、機種Dの前景の１パターンを生成する。この場合も、印字ドットが削除する部分に含まれる場合、上記と同様の方法でドットを探し、その位置に配置する。
【０１０１】
これまで本発明を、画像処理システム、情報処理装置、画像処理方法およびプログラムとして上述した実施の形態をもって説明してきたが、本発明は上述した実施の形態に限定されるものではない。本発明は、他の実施の形態、追加、変更、削除など、当業者が想到することができる範囲内で変更することができ、いずれの態様においても本発明の作用・効果を奏する限り、本発明の範囲に含まれるものである。
【０１０２】
したがって、上記のプログラムは、インストール可能な形式または実行可能な形式のファイルでフロッピー（登録商標）ディスク、CD(Compact Disk)、CD-R(Compact Disk Read Only Memory)、DVD(Digital Versatile Disk)、SDメモリカード(SD Memory Card)、USBメモリ等のコンピュータで読み取り可能な記録媒体に記録して提供するように構成することができる。また、上記のプログラムは、インターネット等のネットワーク経由で提供または配布するように構成されていてもよい。さらに、上記のプログラムを他の各種ソフトウェアとともにROM等に予め組み込んで提供するように構成してもよい。
【０１０３】
上記の実施形態では、上記の各機能部は、CPUがHDD等に記憶されたプログラムを読み出して実行することにより、各機能部を実現するプログラムがRAM上にロードされ、上記の各機能部が生成されている。しかしながら、これに限られるものではなく、例えば各機能部のうちの少なくとも一部が専用のハードウェア回路（例えば半導体集積回路）で実現されていてもよい。
【符号の説明】
【０１０４】
１０、１１…PC、１２〜１４…MFP、１５…ネットワーク、１６…ケーブル、２０…CPU、２１…ROM、２２…RAM、２３…HDD、２４…通信I/F、２５…入出力I/F、２６…表示装置、２７…入力装置、２８…バス、３０…CPU、３１…ROM、３２…RAM、３３…HDD、３４…エンジン、３５…通信I/F、３６…操作部、３７…バス、４０…印刷要求部、４１…印刷データ生成部、４２…記憶部、４３…取得部、４４…計算部、４５…画像生成部、４６…合成部、５０…受信部、５１…制御部、５２…記憶部、５３…送信部、５４…印刷実行部
【先行技術文献】
【特許文献】
【０１０５】
【特許文献１】特開２０１５−３５１７８号公報
【図１】
2018064138.tif 000005
【図２】
2018064138.tif 000006
【図３】
2018064138.tif 000007
【図４】
2018064138.tif 000008
【図５】
2018064138.tif 000009
【図６】
2018064138.tif 000010
【図７】
2018064138.tif 000011
【図８】
2018064138.tif 000012
【図９】
2018064138.tif 000013
【図１０】
2018064138.tif 000014
【図１１】
2018064138.tif 000015
【図１２】
2018064138.tif 000016
【図１３】
2018064138.tif 000017
【図１４】
2018064138.tif 000018
【図１５】
2018064138.tif 000019
【図１６】
2018064138.tif 000020
【図１７】
2018064138.tif 000021
【図１８】
2018064138.tif 000022
【図１９】
2018064138.tif 000023
【図２０】
2018064138.tif 000024
【図２１】
2018064138.tif 000025
【図２２】
2018064138.tif 000026
【図２３】
2018064138.tif 000027
【図２４】
2018064138.tif 000028